(57)【要約】【課題】バスバーの組み付けに係る作業性の向上を図ることが可能なバスバー組み付け構造を提供する。また、このバスバー組み付け構造を採用する電気接続箱やワイヤハーネスも提供する。【解決手段】自動車に配索されるワイヤハーネスは、この端末に電気接続箱を備える。電気接続箱は、複数の電子部品が組み付けられる電子部品ブロック２を備えて構成される。電子部品ブロック２を構成する樹脂製のブロック本体５には、バスバー組み付け部９、１０が形成される。このバスバー組み付け部９、１０には、第一バスバー６及び第二バスバー７が収容される。第一バスバー６には、第一押し込み部３１が折り曲げ片となる形状に形成される。第一押し込み部３１には、貫通孔３５が形成される。一方、第二バスバー７には、第一押し込み部３１の通孔３５に挿通され、且つ、第一押し込み部３１の被押し込み面３６の位置に合わせて配置される第二押し込み部４４が形成される。【選択図】図３
2020080587.tif 000002
【特許請求の範囲】
【請求項１】
電子部品ブロックを構成する樹脂製のブロック本体にバスバー組み付け部が形成され、
該バスバー組み付け部には、第一バスバー及び第二バスバーが収容され、
前記第一バスバーには、前記バスバー組み付け部への収容の際に押し込まれる第一押し込み部が折り曲げ片となる形状に形成され、
前記第一押し込み部には、貫通孔又は切り欠きが形成され、
前記第二バスバーには、前記貫通孔又は前記切り欠きに挿通され且つ前記第一押し込み部の被押し込み面の位置に合わせて配置される第二押し込み部が形成される
ことを特徴とするバスバー組み付け構造。
【請求項２】
請求項１に記載のバスバー組み付け構造において、
前記第一押し込み部は、前記第一バスバーの長手方向に沿ってのびる帯板状となる形状に形成される
ことを特徴とするバスバー組み付け構造。
【請求項３】
請求項１又は２に記載のバスバー組み付け構造において、
前記第一押し込み部には、前記切り欠きが形成され、前記第二押し込み部は、前記切り欠きの切り欠き方向に沿ってのびる幅狭の折り曲げ片となる形状に形成される
ことを特徴とするバスバー組み付け構造。
【請求項４】
請求項１、２又は３に記載のバスバー組み付け構造を有する電子部品ブロックと、該電子部品ブロックを収容するための筐体とを備える
ことを特徴とする電気接続箱。
【請求項５】
端末に請求項４に記載の電気接続箱を備えて自動車に配索される
ことを特徴とするワイヤハーネス。
【発明の詳細な説明】
【技術分野】
【０００１】
本発明は、電子部品ブロックに採用されるバスバー組み付け構造に関する。また、電子部品ブロックを備える電気接続箱に関する。また、端末に電気接続箱を備えるワイヤハーネスに関する。
【背景技術】
【０００２】
自動車に搭載される電気接続箱は、電子部品ブロックと、これを収容するための筐体とを備えて構成される（例えば下記特許文献１参照）。筐体は、上下が開口するフレームと、フレームの上部開口部を覆うアッパーカバーと、フレームの下部開口部を覆うロアカバーとを備えて構成される。電子部品ブロックを構成する樹脂製のブロック本体には、バスバー組み付け部が形成される。このバスバー組み付け部は、バスバーの組み付け部分として形成される。バスバー組み付け部は、ブロック本体の下面側から見て溝状となる形状のバスバー収容溝を有する。バスバー組み付け部には、バスバーが脱落しないようにバスバーロック部が形成される。バスバーは、バスバー収容溝に収容されるバスバー本体と、このバスバー本体に連続する電気接続部とを有する。電気接続部は、ブロック本体の複数のキャビティに合わせて配置形成される。電気接続部は、バスバー本体の長手方向の両端部などに配置形成される。
【先行技術文献】
【特許文献】
【０００３】
【特許文献１】特開２０１８−６４３６６号公報
【発明の概要】
【発明が解決しようとする課題】
【０００４】
上記従来技術にあっては、バスバーが複数備えられ、この複数のバスバーを一つ一つ対応するバスバー組み付け部に組み付ける作業を行う。言い換えれば、バスバーの数分だけ組み付け作業を行う必要がある。バスバーの数分だけ組み付け作業を行うことは、作業性が悪いと言える。
【０００５】
本発明は、上記した事情に鑑みてなされたもので、バスバーの組み付けに係る作業性の向上を図ることが可能なバスバー組み付け構造を提供することを課題とする。また、このバスバー組み付け構造を採用する電気接続箱やワイヤハーネスを提供することも課題とする。
【課題を解決するための手段】
【０００６】
上記課題を解決するためになされた請求項１に記載の本発明のバスバー組み付け構造は、電子部品ブロックを構成する樹脂製のブロック本体にバスバー組み付け部が形成され、該バスバー組み付け部には、第一バスバー及び第二バスバーが収容され、前記第一バスバーには、前記バスバー組み付け部への収容の際に押し込まれる第一押し込み部が折り曲げ片となる形状に形成され、前記第一押し込み部には、貫通孔又は切り欠きが形成され、前記第二バスバーには、前記貫通孔又は前記切り欠きに挿通され且つ前記第一押し込み部の被押し込み面の位置に合わせて配置される第二押し込み部が形成されることを特徴とする。
【０００７】
このような請求項１の特徴を有する本発明によれば、第一バスバーにおける第一押し込み部の被押し込み面の位置に合わせて第二バスバーの第二押し込み部が配置されることから、これら第一押し込み部及び第二押し込み部を同時に、且つ、同じ位置で押し込むことにより、第一バスバー及び第二バスバーを一括して組み付けすることができる。本発明によれば、従来例では二回かかっていた組み付け作業が一回で済むようになり、結果、作業性の向上を図ることができるという効果を奏する。
【０００８】
請求項２に記載の本発明は、請求項１に記載のバスバー組み付け構造において、前記第一押し込み部は、前記第一バスバーの長手方向に沿ってのびる帯板状となる形状に形成されることを特徴とする。
【０００９】
このような請求項２の特徴を有する本発明によれば、第一押し込み部の被押し込み面が大きくなることから、押し込み作業をし易くすることができるという効果を奏する。また、第一押し込み部が大きくなることから、この大きくなった第一押し込み部を放熱用の部分として活用することができる。別な言い方をすれば、第一押し込み部に放熱部分としての機能を持たせることができる。
【００１０】
請求項３に記載の本発明は、請求項１又は２に記載のバスバー組み付け構造において、前記第一押し込み部には、前記切り欠きが形成され、前記第二押し込み部は、前記切り欠きの切り欠き方向に沿ってのびる幅狭の折り曲げ片となる形状に形成されることを特徴とする。
【００１１】
このような請求項３の特徴を有する本発明によれば、第二押し込み部も被押し込み面を大きくすることができ、結果、作業性の向上を図ることができるという効果を奏する。
【００１２】
また、上記課題を解決するためになされた請求項４に記載の本発明の電気接続箱は、請求項１、２又は３に記載のバスバー組み付け構造を有する電子部品ブロックと、該電子部品ブロックを収容するための筐体とを備えることを特徴とする。
【００１３】
このような請求項４の特徴を有する本発明によれば、バスバーの組み付けに係る作業性が向上した構造の電子部品ブロックを備えることから、より良い電気接続箱を提供することができる。
【００１４】
また、上記課題を解決するためになされた請求項５に記載の本発明のワイヤハーネスは、端末に請求項４に記載の電気接続箱を備えて自動車に配索されることを特徴とする。
【００１５】
このような請求項５の特徴を有する本発明によれば、バスバーの組み付けに係る作業性が向上した構造の電気接続箱を備えることから、より良いワイヤハーネスを提供することができる。
【発明の効果】
【００１６】
本発明のバスバー組み付け構造によれば、第一バスバー及び第二バスバーをブロック本体のバスバー組み付け部に一括して組み付けすることができ、結果、従来例よりも作業性を向上させることができるという効果を奏する。また、本発明の電気接続箱及びワイヤハーネスによれば、上記効果のバスバー組み付け構造を有することから、より良いものを提供することができるという効果を奏する。
【図面の簡単な説明】
【００１７】
【図１】本発明のバスバー組み付け構造を有する電子部品ブロックの一実施形態を示す斜視図（底面側から見た斜視図）である。
【図２】図１の構成での分解斜視図である。
【図３】ブロック本体、第一バスバー、及び第二バスバーの構成での分解斜視図である。
【図４】図３の構成で第一バスバー及び第二バスバーをブロック本体に組み付けた状態を示す斜視図である。
【図５】第一バスバー及び第二バスバーの要部を示す斜視図である。
【図６】組み付け前の第一バスバー及び第二バスバーを示す斜視図である。
【図７】第一バスバー及び第二バスバーの変形例を示す電子部品ブロックの底面図である。
【図８】図７に対応する斜視図である。
【図９】バスバー組み付け部の変形例を示す電子部品ブロックの斜視図（底面側から見た斜視図）である。
【発明を実施するための形態】
【００１８】
自動車に配索されるワイヤハーネスは、この端末に電気接続箱を備える。電気接続箱は、複数の電子部品が組み付けられる電子部品ブロックと、この電子部品ブロックの組み付け先になる筐体とを備えて構成される。電子部品ブロックを構成する樹脂製のブロック本体には、バスバー組み付け部が形成される。このバスバー組み付け部には、第一バスバー及び第二バスバーが収容される。第一バスバーには、バスバー組み付け部への収容の際に押し込まれる第一押し込み部が折り曲げ片となる形状に形成される。第一押し込み部には、貫通孔又は切り欠きが形成される。一方、第二バスバーには、第一押し込み部の通孔又は切り欠きに挿通され、且つ、第一押し込み部の被押し込み面の位置に合わせて配置される第二押し込み部が形成される。
【実施例】
【００１９】
以下、図面を参照しながら実施例を説明する。図１は本発明のバスバー組み付け構造を有する電子部品ブロックの一実施形態を示す斜視図（底面側から見た斜視図）である。また、図２は図１の構成での分解斜視図、図３はブロック本体、第一バスバー、及び第二バスバーの構成での分解斜視図、図４は図３の構成で第一バスバー及び第二バスバーをブロック本体に組み付けた状態を示す斜視図、図５は第一バスバー及び第二バスバーの要部を示す斜視図、図６は組み付け前の第一バスバー及び第二バスバーを示す斜視図、図７は第一バスバー及び第二バスバーの変形例を示す電子部品ブロックの底面図、図８は図７に対応する斜視図、図９はバスバー組み付け部の変形例を示す電子部品ブロックの斜視図（底面側から見た斜視図）である。尚、図１ないし図４の矢印は上下方向を示すものとする。
【００２０】
＜電気接続箱１の構成について＞
図１において、電気接続箱１は、外部に露出した状態でトラックに搭載されるものである（一例であるものとする）。具体的には、トラックにおけるキャビンと荷台との間に搭載されるものである（一例であるものとする）。このような電気接続箱１は、電子部品ブロック２と、この電子部品ブロック２を収容するための筐体とを備えて構成される。電気接続箱１は、ワイヤハーネスの端末に配設される。ワイヤハーネスの端末は、電気接続箱１の下部から引き出された太物電線３や細物電線４にて構成される。ワイヤハーネスは、電気接続箱１を備えた状態で自動車の所定位置に配索される。
【００２１】
＜電子部品ブロック２について＞
図１ないし図３において、電気接続箱１の筐体には、複数種の電子部品ブロックが組み付けられる。そのうちの一つが図示の電子部品ブロック２である。電子部品ブロック２は、複数の電子部品（例えばヒューズやヒュージブルリンク等）の電気的な組み付け先となる部材として電気接続箱１に備えられる。また、電子部品ブロック２は、上記電子部品が所定回路に接続される部材として備えられる。電子部品ブロック２は、ブロック本体５と、第一バスバー６と、第二バスバー７と、第三バスバー８とを備えて構成される。電子部品ブロック２は、ブロック本体５に対し第一バスバー６及び第二バスバー７を一括して組み付けることができるように形成される。尚、本発明の特徴部分が第三バスバー８の側に無いので、第三バスバー８に関し、以下での説明は省略するものとする。以上のような電子部品ブロック２は、カセット式のものであり、筐体に対して着脱自在に組み付けられる。電子部品ブロック２に関しては、これらの名称をカセットブロック２と読み替えてもよいものとする。
【００２２】
＜ブロック本体５について＞
図１ないし図４において、ブロック本体５は、樹脂成形品であって絶縁性を有する。ブロック本体５には、図示しない複数の電子部品に対するキャビティ（符号省略）が形成される。また、ブロック本体５には、三つのバスバー組み付け部９〜１１が形成される。三つのバスバー組み付け部９〜１１は、ブロック本体５の下面側に配置形成される。三つのバスバー組み付け部９〜１１のうちの、バスバー組み付け部９は、第一バスバー６の組み付け部分として形成される。また、バスバー組み付け部１０は、第二バスバー７の組み付け部分として形成される。また、バスバー組み付け部１１は、第三バスバー８の組み付け部分として形成される。以下、バスバー組み付け部９、１０についてもう少し詳しく説明をする。
【００２３】
＜バスバー組み付け部９について＞
図１ないし図４において、バスバー組み付け部９は、上記の如く第一バスバー６の組み付け部分として形成される。このようなバスバー組み付け部９は、第一組み付け部１２と、第一組み付け部１２に連続する第二組み付け部１３と、第三組み付け部１４と、第二組み付け部１３及び第三組み付け部１４を繋ぐバスバー収容溝１５とを有して図示形状に形成される。第一組み付け部１２は、第一バスバー６の後述する第一電気接続部２３の組み付け部分として形成される。第一組み付け部１２には、第一電気接続部２３に対する保持部１６が突出形成される。第二組み付け部１３は、第一バスバー６の後述する第二電気接続部２４の組み付け部分として形成される。第三組み付け部１４は、太物電線３及び細物電線４の接続側に配置形成される。第三組み付け部１４は、第一バスバー６の後述する第三電気接続部２５の組み付け部分として形成される。第三組み付け部１４は、バスバー組み付け部１０の後述する第二組み付け部１８と同じ位置に配置形成される。バスバー収容溝１５は、第一バスバー６の後述するバスバー本体２６の組み付け部分として形成される。尚、バスバー収容溝１５に関しては後述するものとする。
【００２４】
＜バスバー組み付け部１０について＞
図１ないし図４において、バスバー組み付け部１０は、上記の如く第二バスバー７の組み付け部分として形成される。このようなバスバー組み付け部１０は、第一組み付け部１７と、第二組み付け部１８と、これらを繋ぐバスバー収容溝１９とを有して図示形状に形成される。第一組み付け部１７は、第二バスバー７の後述する第一電気接続部３７の組み付け部分として形成される。第一組み付け部１７には、第一電気接続部３７に対する保持部２０が突出形成される。第二組み付け部１８は、太物電線３及び細物電線４の接続側に配置形成される。第二組み付け部１８は、第二バスバー７の後述する第二電気接続部３８の組み付け部分として形成される。バスバー収容溝１９は、第二バスバー７の後述するバスバー本体３９の組み付け部分として形成される。尚、バスバー収容溝１９に関しては後述するものとする。
【００２５】
＜バスバー収容溝１５及びバスバー収容溝１９について＞
図２ないし図４において、バスバー収容溝１５及びバスバー収容溝１９は、ブロック本体５の下面側から見て溝状となる形状に形成される。また、バスバー収容溝１５及びバスバー収容溝１９は、特に符号を付さないが、溝底と、溝開口と、溝側壁とを有して上記溝状となる形状に形成される。バスバー収容溝１５及びバスバー収容溝１９は、それぞれ溝が浅い部分２１と、溝が深い部分２２とを有する図示形状に形成される。溝が深い部分２２は、バスバー収容溝１５及びバスバー収容溝１９で共通部分になるように幅広に形成される。
【００２６】
＜第一バスバー６について＞
図２ないし図６において、第一バスバー６は、導電性を有する金属板をプレス加工することにより形成される。第一バスバー６は、第一電気接続部２３と、この第一電気接続部２３に連続する第二電気接続部２４と、第三電気接続部２５と、第二電気接続部２４及び第三電気接続部２５を繋ぐバスバー本体２６とを有して図示形状に形成される。第一電気接続部２３には、バスバー組み付け部９への収容の際に押し込まれる被押し込み面２７が形成される。この被押し込み面２７がある部分には、バスバー組み付け部９の保持部１６が差し込まれる被保持孔２８が形成される。被押し込み面２７は、後述する図示しない面押し治具にて面押しされるような平面になる。第二電気接続部２４には、第一電気接続部２３の被押し込み面２７と同一平面になる被押し込み面２９が形成される。この被押し込み面２９も後述する図示しない面押し治具にて面押しされるような平面になる。バスバー本体２６は、帯板形状に形成される。バスバー本体２６は、この長手方向の途中で数回、９０度に曲げられた形状に形成される。
【００２７】
第三電気接続部２５は、バスバー本体２６よりも幅広の板状部分に形成される。第三電気接続部２５には、本体３０と、第一押し込み部３１とが形成される。本体３０の一方の側部３２の側には、貫通孔３３が三つ形成される。この貫通孔３３は、太物電線３及び細物電線４を接続する際に用いられる図示しないボルトを挿通するために形成される。第一押し込み部３１は、本体３０の他方の側部３４に連成される。第一押し込み部３１は、他方の側部３４に沿ってのびる帯板状の折り曲げ片となる形状に形成される。第一押し込み部３１は、９０度に折り曲げて形成される。このような第一押し込み部３１には、貫通孔３５が形成される。この貫通孔３５は、第二バスバー７の後述する第二押し込み部４４に対する部分に形成される。尚、貫通孔３５は、太物電線３の電線径よりも狭く開口するように形成されるものとする。また、貫通孔３５は、太物電線３の配置に合わせて形成されるものとする（本実施例においては、二本の細物電線４の間に太物電線３があることから、上記他方の側部３４の中間位置に配置形成される）。第一押し込み部３１の外面は、被押し込み面３６として形成される。被押し込み面３６は、上記被押し込み面２７、２９と同様に、バスバー組み付け部９への収容の際に押し込まれる平面として形成される。すなわち、後述する図示しない面押し治具にて面押しされる面として形成される。第一押し込み部３１は、上記の如く、他方の側部３４に沿ってのびる帯板状の形状であることから、表面積を多くとって放熱性を高めることができる。第一押し込み部３１は、バスバー組み付け部９への収容の際に用いられる部分の他に、放熱部分としても有効である。
【００２８】
＜第二バスバー７について＞
図２ないし図６において、第二バスバー７は、第一バスバー６と同じ導電性を有する金属板をプレス加工することにより形成される。第二バスバー７は、第一電気接続部３７と、第二電気接続部３８と、これらを繋ぐバスバー本体３９とを有して図示形状に形成される。第一電気接続部３７には、バスバー組み付け部１０への収容の際に押し込まれる被押し込み面４０が形成される。この被押し込み面４０がある部分には、バスバー組み付け部１０の保持部２０が差し込まれる被保持孔４１が形成される。被押し込み面４０は、後述する図示しない面押し治具にて面押しされるような平面になる。バスバー本体３９は、この長手方向の途中で数回、９０度に曲げられた形状に形成される。
【００２９】
第二電気接続部３８は、バスバー本体３９よりも幅広の板状部分に形成される。第二電気接続部３８には、本体４２と、折り曲げ片４３と、第二押し込み部４４とが形成される。本体４２の一方の側部４５の側には、貫通孔４６と、折り曲げ片４３とが三つずつ形成される。貫通孔４６は、太物電線３及び細物電線４を接続する際に用いられる図示しないボルトを挿通するために形成される。第二押し込み部４４は、幅狭の凸片形状に形成される。第二押し込み部４４は、第一バスバー６における第一押し込み部３１の貫通孔３５に挿通される。第二押し込み部４４は、この突出先端が第一押し込み部３１の被押し込み面３６の位置に合わせて形成される。第二押し込み部４４の突出先端は、面積が狭くなるが、バスバー組み付け部１０への収容の際に押し込まれる被押し込み面（符号省略）として形成される。
【００３０】
尚、第二押し込み部４４は、上記の如く、幅狭の凸片形状に形成されるが、図７及び図８に示す如く、幅狭の折り曲げ片となる形状に形成し、これを第二押し込み部４７としてもよいものとする。この場合、第一バスバー６の第一押し込み部３１には、切り欠き４８が形成される。第二押し込み部４７は、切り欠き４８の切り欠き方向に沿ってのびるように形成される。第二押し込み部４７には、第一押し込み部３１の被押し込み面３６と同一平面になる被押し込み面４９が形成される。
【００３１】
＜電子部品ブロック２の組み付けについて＞
図３において、先ず、第一バスバー６における第三電気接続部２５の本体３０及び第二バスバー７における第二電気接続部３８の本体４２同士を重ねるように第一バスバー６及び第二バスバー７を組み付け、次に、これら第一バスバー６及び第二バスバー７を一括してブロック本体５のバスバー組み付け部９、１０に押し込むと、図４に示す如く、ブロック本体５への第一バスバー６及び第二バスバー７の組み付けが完了する。第一バスバー６及び第二バスバー７の一括した押し込みは、図示しない面押し治具を用いる。この図示しない面押し治具は、第一バスバー６の第一電気接続部２３の被押し込み面２７、第二電気接続部２４の被押し込み面２９、及び、第三電気接続部２５の第一押し込み部３１の被押し込み面３６と、第二バスバー７の第一電気接続部３７の被押し込み面４０、及び、第二電気接続部３８の第二押し込み部４４の突出先端（又は第二押し込み部４７の被押し込み面４９）とを同時に面押しするようなものであり、第一バスバー６及び第二バスバー７を一つ一つ組み付けていくよりも格段に作業性が良い。第一バスバー６及び第二バスバー７の一括した押し込みは、第一押し込み部３１及び第二押し込み部４４の構造が特徴となる。この特徴となる構造をバスバー組み付け構造５０と呼ぶことにする。
【００３２】
＜効果について＞
以上、図１ないし図８を参照しながら説明してきたように、本発明の一実施形態であるバスバー組み付け構造５０によれば、第一バスバー６及び第二バスバー７をブロック本体５のバスバー組み付け部９、１０に一括して組み付けすることができ、結果、従来例よりも作業性を向上させることができるという効果を奏する。また、本発明の一実施形態である電気接続箱１やワイヤハーネスによれば、上記効果のバスバー組み付け構造５０を有することから、より良いものを提供することができるという効果を奏する。
【００３３】
＜その他の構造について＞
本実施例では、複数本の太物電線３や細物電線４が図示されるが、実際には更に細い電線（図示省略）も多数、電子部品ブロック２から引き出されるようになる。上記細い電線を保護するために、図７に示す如くの、スリット５１、５２の配置が有効である。すなわち、第三バスバー８の組み付け部分となるバスバー組み付け部１１には、スリット５１、５２が形成され、この配置が直線上に並んでなくずれていることから、上記細い電線が入り込み難くなり、結果、組み付け時においての電線保護に有効である。
【００３４】
また、図９に示す如く、バスバーロック部５３の形成も電線保護に有効である。すなわち、バスバー収容溝１５及びバスバー収容溝１９における溝が深い部分２２の壁５４（溝側壁）には、この先端内側に突出するようにバスバーロック部５３が形成される。図９のバスバーロック部５３は、上記細い電線が入り込まなくするための部分として形成される。バスバーロック部５３の形成は、組み付け時においての電線保護に有効である。
【００３５】
本発明は本発明の主旨を変えない範囲で種々変更実施可能なことは勿論である。
【符号の説明】
【００３６】
１…電気接続箱、  ２…電子部品ブロック、  ３…太物電線、  ４…細物電線、  ５…ブロック本体、  ６…第一バスバー、  ７…第二バスバー、  ８…第三バスバー、  ９〜１１…バスバー組み付け部、  １２…第一組み付け部、  １３…第二組み付け部、  １４…第三組み付け部、  １５…バスバー収容溝、  １６…保持部、  １７…第一組み付け部、  １８…第二組み付け部、  １９…バスバー収容溝、  ２０…保持部、  ２１…溝が浅い部分、  ２２…溝が深い部分、  ２３…第一電気接続部、  ２４…第二電気接続部、  ２５…第三電気接続部、  ２６…バスバー本体、  ２７…被押し込み面、  ２８…被保持孔、  ２９…被押し込み面、  ３０…本体、  ３１…第一押し込み部、  ３２…一方の側部、  ３３…貫通孔、  ３４…他方の側部、  ３５…貫通孔、  ３６…被押し込み面、  ３７…第一電気接続部、  ３８…第二電気接続部、  ３９…バスバー本体、  ４０…被押し込み面、  ４１…被保持孔、  ４２…本体、  ４３…折り曲げ片、  ４４…第二押し込み部、  ４５…一方の側部、  ４６…貫通孔、  ４７…第二押し込み部、  ４８…切り欠き、  ４９…被押し込み面、  ５０…バスバー組み付け構造、  ５１、５２…スリット、  ５３…バスバーロック部、  ５４…壁
【図１】
2020080587.tif 000003
【図２】
2020080587.tif 000004
【図３】
2020080587.tif 000005
【図４】
2020080587.tif 000006
【図５】
2020080587.tif 000007
【図６】
2020080587.tif 000008
【図７】
2020080587.tif 000009
【図８】
2020080587.tif 000010
【図９】
2020080587.tif 000011